(57)【要約】【課題】冷気吐出口に設けられる風向板から霜が融解して生成された水が陳列室内に滴下される不都合を解消することができる低温ショーケースを提供する。【解決手段】本発明の低温ショーケース１は、冷却器２２と熱交換した冷気を冷気吐出口２７より陳列室２０内に吐出してなるものであって、冷気吐出口２７に設けられた風向板２６を備え、この風向板２６の下面、若しくは、下端部に、吸水性部材５１を設け、陳列室内に風向板２６に付着した水滴が落下する不都合を回避する。【選択図】図２
2010071608.tif 000002
【特許請求の範囲】
【請求項１】
冷却器と熱交換した冷気を冷気吐出口より陳列室内に吐出してなる低温ショーケースにおいて、
前記冷気吐出口に設けられた風向板を備え、該風向板の下面、若しくは、下端部に、吸水性部材を設けたことを特徴とする低温ショーケース。
【請求項２】
冷却器と熱交換した冷気を冷気吐出口より陳列室内に吐出してなる低温ショーケースにおいて、
前記冷気吐出口に設けられた風向板を備え、該風向板を吸水性材料により構成したことを特徴とする低温ショーケース。
【発明の詳細な説明】
【技術分野】
【０００１】
本発明は、冷却器と熱交換した冷気を冷気吐出口より陳列室内に吐出してなる低温ショーケースであって、特に冷気吐出口に設けられる風向板に関するものである。
【背景技術】
【０００２】
従来よりこの種低温ショーケースは、断熱箱体内に冷却器と送風機を取り付け、送風機の運転により吸込口から陳列室内の空気を吸引して冷却器と熱交換させ、それによって冷却された冷気を吐出口より陳列室内に吐出して冷却する構成とされている。
【０００３】
例えば、特許文献１に示されるような上面に開口を形成して成る平型の低温ショーケースがある。係る低温ショーケースでは、図５に示すように、断熱箱体により構成される本体１００の後壁上部には、陳列室１０１の後部上方に位置して冷気を吹き出すための冷気吐出口１０２が形成されている。当該冷気吐出口１０２には、断熱箱体下部と連通して形成されるダクト１０３から上昇してきた冷気を陳列室１０１前部下方に向けて吐出するため、複数の風向板１０４が所定間隔を存して設けられている。
【０００４】
しかし、陳列室内を冷凍温度とする冷凍ショーケースでは、外部から侵入した湿気により冷却器に着霜が生じ、冷却器を閉塞してしまう問題があった。特に、大きく開口を有するショーケースでは、陳列室内に湿気を多く含んだ外気が流入することにより、係る着霜が顕著となる。
【０００５】
そこで、従来の低温ショーケースでは、所定時間冷却運転が実行されると、冷却器の除霜運転を実行する。この除霜運転では、冷却装置の圧縮機を停止して冷媒の流れを停止させ、冷却器の冷却作用を停止すると共に、冷気循環用送風機は連続運転とする。そして、デフロストヒータへ通電を行うことにより、冷却器を加熱し着霜を融解処理する。
【特許文献１】特開平９−２１０５３３号公報
【発明の開示】
【発明が解決しようとする課題】
【０００６】
しかしながら、上述した如き低温ショーケースでは、外気の侵入等によって、上面開口付近に設けられる冷気吐出口の各風向板にも、霜が付着する。冷凍ショーケースでは、当該風向板は、例えば−２８℃の低温とされているため霜が付きやすい。特に、上述したような従来の低温ショーケースでは、冷気吐出口に設けられる風向板は、陳列室の上方にまで延在して構成されている。当該陳列室上方に位置する風向板の下端部に霜が付着する。
【０００７】
風向板に付着した霜は、上述したような冷却器の除霜運転が実行されることで、ダクト内を暖気が上昇して、融解される。冷却器の除霜運転が実行されることで、冷却運転時−２８℃程度であった風向板は、除霜運転の終了直前には＋２０℃程度にまで上昇する。このとき、風向板は、陳列室の前方下部に向けて設けられていることから、霜が融解されて水滴Ｗとなり、その自重によって陳列室内に滴下される。
【０００８】
陳列室内には通常、商品が陳列されているため、係る除霜運転の実行によって、商品が濡れてしまうという問題がある。
【０００９】
本発明は、従来の技術的課題を解決するためになされたものであり、冷気吐出口に設けられる風向板から霜が融解して生成された水が陳列室内に滴下される不都合を解消することができる低温ショーケースを提供する。
【課題を解決するための手段】
【００１０】
本発明の低温ショーケースは、冷却器と熱交換した冷気を冷気吐出口より陳列室内に吐出してなるものであって、冷気吐出口に設けられた風向板を備え、この風向板の下面、若しくは、下端部に、吸水性部材を設けたことを特徴とする。
【００１１】
請求項２の発明の低温ショーケースは、冷却器と熱交換した冷気を冷気吐出口より陳列室内に吐出してなるものであって、冷気吐出口に設けられた風向板を備え、この風向板を吸水性材料により構成したことを特徴とする。
【発明の効果】
【００１２】
本発明によれば、冷却器と熱交換した冷気を冷気吐出口より陳列室内に吐出してなる低温ショーケースにおいて、冷気吐出口に設けられた風向板を備え、この風向板の下面、若しくは、下端部に、吸水性部材を設けたので、外気に含まれた湿気により風向板に付着した霜や、冷却器の除霜運転などによって湿気を多く含んだ空気が接触することで風向板に付着した霜が、何らかの原因、例えば除霜運転における暖気によって融解されて水滴となっても、当該風向板の下面や、下端部に設けられる吸水性部材によって吸水されて保持することが可能となる。
【００１３】
そのため、かかる水滴が陳列室内に陳列される商品上に落下し、汚染してしまう不都合を著しく抑制することが可能となる。また、吸水性部材に吸水保持された水滴は、冷気吐出口から吐出される低温の冷気によって昇華処理することが可能となる。
【００１４】
請求項２の発明によれば、冷却器と熱交換した冷気を冷気吐出口より陳列室内に吐出してなる低温ショーケースにおいて、冷気吐出口に設けられた風向板を備え、この風向板を吸水性材料により構成したので、外気に含まれた湿気により風向板に付着した霜や、冷却器の除霜運転などによって湿気を多く含んだ空気が接触することで風向板に付着した霜が、何らかの原因、例えば除霜運転における暖気によって融解されて水滴となっても、吸水性材料により構成される風向板によって吸水されて保持することが可能となる。
【００１５】
そのため、かかる水滴が陳列室内に陳列される商品上に落下し、汚染してしまう不都合を抑制することが可能となる。また、吸水性部材に吸水保持された水滴は、冷気吐出口から吐出される低温の冷気によって昇華処理することが可能となる。
【発明を実施するための最良の形態】
【００１６】
以下、図面に基づき本発明の実施例を詳述する。図１は本発明を適用した低温ショーケース１の縦断側面図、図２は低温ショーケース１の後壁２Ｂ上部の拡大断面図、図３は後壁２Ｂ上部の後方斜視図をそれぞれ示している。本実施例における低温ショーケース１は、例えば、スーパーマーケット等において、冷凍食品や冷菓等を陳列保存するために用いられるものであり、上方に開放した断面略コ字状の断熱箱体２と、当該断熱箱体２の両側面を構成する側板８、８とから本体が構成されている。この断熱箱体２は、金属製の外箱３と、この外箱３に間隔を存して組み込まれた金属製の内箱４と、両箱３、４の上端を連結する樹脂製のブレーカ５と、これら両箱３、４及びブレーカ５間に現場発泡方式にて充填された発泡ポリウレタン等の断熱材７とから構成されている。尚、側板８についても同様に断熱性を有する材料により構成されている。
【００１７】
尚、本実施例において断熱箱体２は、前壁２Ａが後壁２Ｂよりも低く形成されていると共に、前壁２Ａの上面には、３枚のガラス板により構成される透明壁９が後壁２Ｂの上面高さと略同一の高さにまで延在して立設されている。そして、この透明壁９の上端には、左右に渡ってハンドレール１０が設けられている。
【００１８】
内箱４の前後面内側には間隔を存してダクト板１６、１７が取り付けられており、後面のダクト板１７の上端は内方に折曲されている。前面のダクト板１６は、断熱箱体２の前壁２Ａと略同一の高さまで形成されており、当該ダクト板１６の上端には、ガラス板にて構成される透明壁１８が立設される。尚、この透明壁１８は、後面のダクト板１７と略同一の高さまで形成されている。
【００１９】
そして、ダクト板１６、１７の下端間には底板１９が着脱可能に架設され、これによって、内箱４の内側には底面から前後に立ち上がる一連のダクト２１が構成されると共に、これらダクト板１６、１７と底板１９の内側に陳列室２０が画成される。一方、前記断熱箱体２の底壁２Ｄの上面には、図示しないドレンパンが設けられ、このドレンパンの最も低い位置には、断熱箱体２外下方に連通した図示しない排水孔が形成されている。このドレンパン上には、前記ダクト２１内に位置して横型の冷却器２２が配設され、この冷却器２２の前側に設けたファンケース２３内には、吸込型のプロペラファンから成る送風機２４が取り付けられている。この送風機２４及びファンケース２３には、詳細は後述する用に送風機加熱用ヒータ５０等が取り付けられている。尚、図中２５は、冷却器２２に設けられたデフロストヒータ（冷却器加熱用ヒータ）である。また、ファンケース２３の下端にもデフロストヒータ２５と連動して発熱されるデフロストヒータ３６が設けられている。
【００２０】
図２及び図３の部分拡大図に示すように、ダクト板１７の上端は、冷気吐出口２７、ダクト板１６の上端は、冷気吸込口２８とされると共に、冷気吐出口２７には複数の風向板２６・・・（本実施例では３つ）が所定間隔を存して取り付けられている。
【００２１】
本実施例において、各風向板２６は、後部がダクト２１内に垂下して設けられると共に、前部はダクト板１６の上端部に沿って内側に、湾曲、若しくは、所定角度をなすように折曲して形成されている。そして、当該前端部は、所定寸法だけ陳列室２０後部上方にまで延出して構成されている。また、当該前端部は、後方から前方に向けて少許低く形成されている。尚、本実施例では、ダクト板１７の上端部と、最も下側に配設される風向板２６との間に所定の冷気通路を構成すべく、当該ダクト板１７の上端部は、前方に向けて略直角に折曲形成された上部フランジ１７Ａとされているものとする。
【００２２】
そして、各風向板２６の前端部下面には、所定の面積を有する吸水性部材（蒸発板）５１が例えばシリコン接着により取り付けられている。本実施例では、吸水性部材５１の一例としてユニベックス（商品名）を使用している。これは、ポリエステル繊維等の不織布を基材とし、この基材に微粒子のフェノールを熱硬化させて固着剤とし、更に親水性を付与してアルコール系の溶剤に浸した後、乾燥させて形成したものである。
【００２３】
一方、断熱箱体２の後壁２Ｂは、上面に、前方に所定寸法だけ延在して上壁２Ｃが形成されており、当該上壁２Ｃの上面には、トップテーブル１２が設けられている。このトップテーブル１２内には、当該上壁２Ｃ前端から前壁２Ａに渡って引き出し自在とされるナイトカバー１１が収容されている。このナイトカバー１１は、夜間等の営業外時間において陳列室２０内の冷気が外部に漏洩することを防止するためのカバー部材である。図中１３は、ナイトカバー１１の前端に設けられる把手部１１Ａを保持するためのナイトカバー保持部材である。更に、トップテーブル１２の前部には、蛍光灯１５が左右に渡って取り付けられている。
【００２４】
他方、断熱箱体２の下端前後には、多数の図示しない透孔が穿設されたキックプレート３０、３０が取り付けられ、これらキックプレート３０、３０の間に位置して断熱箱体２の下方には機械室３１が構成されている。そして、この機械室３１内には、前記冷却器２２と共に周知の冷凍サイクルを構成する圧縮機３２、凝縮器３３及び凝縮器用送風機３４や図示しない電装箱等が配設されている。また、この機械室３１の前面には、パネル３５にて開閉自在に閉塞され、当該パネル３５には図示しない複数のスリットが形成されている。
【００２５】
尚、上述した如き圧縮機３２、送風機２３、凝縮器用送風機３４、送風機加熱用ヒータ５０、デフロストヒータ２５、３６等は、汎用のマイクロコンピュータにて構成される図示しない制御装置に接続されている。
【００２６】
以上の構成により、前記制御装置により圧縮機３２及び送風機２４、３４が運転されると、冷却器２２にて冷却された冷気は、ダクト２１内を上方に吹き上げられ、ダクト板１７上端の冷気吐出口２７から陳列室２０の前上部若しくは、前下方に向けて吐出される。陳列室２０内を循環した冷気は、透明壁９と１６の間を降下し、ダクト板１６の上端の冷気吸込口２８からダクト２１内に吸い込まれ、送風機２４に帰還する循環を行う。これによって、陳列室２０内は、例えば−２０℃等の所定の冷凍温度に冷却される。そのため、冷気吐出口２７から吐出される低温の冷気（冷凍ショーケースでは−３０℃〜−３５℃、冷蔵ショーケースでは−５℃〜−１０℃）によって、各風向板２６は、例えば−２８℃程度（冷凍ショーケースの場合）にまで冷却されている。尚、冷却運転時では、冷却器加熱用ヒータとしてのデフロストヒータ２５、３６、送風機加熱用ヒータ５０は、非通電とされている。
【００２７】
ここで、本実施例における陳列室２０は、上方に大きく開放して形成されていることから、外気が陳列室２０内に侵入しやすい。外気は、湿気を多く含んでいるため、より低温にまで冷却されている風向板２６の表面に霜付きが発生する。また、当該霜付きは、これによりものに限られず、後述するような除霜運転時において、運転される送風機２４に付着していた氷が融解し、それによって生じた湿気を多く含む空気がダクト２１内を上昇することによっても発生する。
【００２８】
この冷却運転の積算運転時間が、例えば１２時間、実行されると、冷却器２２には着霜が成長するため、タイマー等の制御によって冷却器除霜運転が開始される。本実施例では、冷却運転の積算運転時間が１２時間に達した時点で行う。尚、この冷却器除霜運転は、営業時間外に行うことが好ましいことから、使用者が任意に時間を設定して行うことができる。
【００２９】
この冷却器除霜運転は冷却器加熱運転と水切り運転とから成る。冷却器除霜運転中は、圧縮機３２は停止されて冷媒の流れは停止し、冷却器２２の冷却作用は停止すると共に、送風機２４は連続運転される。最初に実行される冷却器加熱運転ではデフロストヒータ２５、３６が運転されて発熱する。このデフロストヒータ２５、３６によって温められた空気、即ち、暖気は送風機２４によって前方から冷却器２２に流通され、冷却器２２はこれによって加熱されて着霜が融解される。融解した霜は、底壁２Ｄ上を流れて排水孔より外部に排出されることになる。
【００３０】
そして、この除霜が進行して冷却器２２の温度が所定の除霜終了温度に達すると、デフロストヒータ２５、３６の運転を停止して、冷却器加熱運転を終了し、次に水切り運転に入る。冷却器２２への冷媒供給及びデフロストヒータ２５、３６の発熱の双方を停止して、底壁２Ｄ上の氷塊の融解と流出を促す。この水切り運転後、再び前記冷却運転が開始されるものである。
【００３１】
このとき、上述したように冷却運転によって風向板２６表面に付着していた霜は、係る冷却器除霜運転によりダクト２１内を上昇する暖気によって融解される。冷却器除霜運転の終了直前には、当該風向板２６は、＋２０℃程度にまで温められることとなるため、付着していた霜は水となる。
【００３２】
しかし、本実施例では、風向板２６の前端部下面には、吸水性部材５１が設けられていることから、融解された水の殆どは、水滴とならずに吸水性部材５１に吸水されて保持される。また、水滴となった場合であっても当該吸水性部材５１に直ぐに吸水されて保持される。
【００３３】
そのため、従来のように風向板２６の前端部下面に水滴が付着する不都合を回避することが可能となるため、係る風向板に付着した水滴が陳列室２０内に陳列される商品上に落下し、汚染してしまう不都合を著しく抑制することが可能となる。
【００３４】
特に、従来では、係る冷却器除霜運転終了後、冷却運転が開始されて、圧縮機３２が運転されるとその衝撃によって、風向板２６に付着していた水滴が陳列室２０内に落下し、商品汚染の原因となっていた。しかし、上述したように、風向板２６に付着する水滴は、効果的に吸水性部材５１にて吸水されて保持されるため、圧縮機３２が運転される際の衝撃によって陳列室２０内に落下する不都合を解消することが可能となる。
【００３５】
また、吸水性部材５１にて吸水されて保持される水分は、その後、冷却運転が行われることによって、上述したように−２８℃程度の低温にまで冷却されることとなるが、ダクト２１内を上昇し、冷気吐出口２７から吐出される低温の冷気によって昇華処理される。
【００３６】
尚、上記実施例では、上方に開口を有する平型の低温ショーケース１を例に挙げて説明しているが、本願発明は、これに限定されるものではなく、例えば前面に開口を有する縦型の低温ショーケースの冷気吐出口に設けられる風向板に適用してもよい。この場合、風向板は前端が下方に向けて折曲して形成されているため、所定の面積を有する吸水性部材を当該風向板の下端部に設けることで、同様の効果を得ることができる。
【００３７】
また、上記実施例では、冷気吐出口２７に後部がダクト２１内に垂下して設けられ、前部はダクト板１６の上端部に沿って内側に、湾曲、若しくは、所定角度をなすように折曲して形成される複数の風向板２６を設けているが、これに限定されず、図４のような構成としてもよい。
【００３８】
即ち、図４の低温ショーケース１の一部分解部分斜視図に示すように、冷気吐出口２７に、冷気の流通を確保し、当該冷気の吐出方向を規制すべく、複数の吸水性部材（蒸発板）５３を略格子状に設けることにより構成される風向板５２を取り付けてもよい。
【００３９】
これにより、外気に含まれた湿気により風向板５２に付着した霜や、冷却器２２の除霜運転などによって湿気を多く含んだ空気が接触することで風向板５２に付着した霜が、何らかの原因、例えば除霜運転における暖気によって融解されて水滴となっても、吸水性材料５３により構成される風向板５２によって吸水されて保持することが可能となる。
【００４０】
そのため、かかる水滴が陳列室２０内に陳列される商品上に落下し、汚染してしまう不都合を抑制することが可能となる。また、吸水性部材５３に吸水保持された水滴は、冷気吐出口２７から吐出される低温の冷気によって昇華処理することが可能となる。
【００４１】
尚、本実施例では、湿気を多く含む外気が陳列室２０内に進入しやすいオープンショーケースを例に挙げて説明してるが、これに限定されない。また、冷気吹出口２７に霜が付きやすい冷凍ショーケースを例に挙げているがこれに限定されるものではなく、冷蔵ショーケースであっても同様に効果を奏することができる。
【図面の簡単な説明】
【００４２】
【図１】本発明を適用した低温ショーケースの縦断側面図である。
【図２】低温ショーケースの後壁上部の拡大断面図である。
【図３】低温ショーケースの後壁上部の後方斜視図である。
【図４】他の実施例としての低温ショーケースの一部分解部分斜視図である。
【図５】従来の低温ショーケースの後壁上部の拡大断面図である。
【符号の説明】
【００４３】
１    低温ショーケース
２    断熱箱体
２Ａ  前壁
２Ｂ  後壁
２Ｃ  上壁
２Ｄ  底壁
８    側板
１０  ハンドレール
１１  ナイトカバー
１６、１７  ダクト板
１８  透明壁
１９  底板
２０  陳列室
２１  ダクト
２２  冷却器
２３  ファンケース
２４  送風機
２５、３６  デフロストヒータ（冷却器加熱用ヒータ）
２６、５３  風向板
２７  冷気吐出口
２８  冷気吸込口
３２  圧縮機
５０  送風機加熱用ヒータ
５１、５３  吸水性部材
【図１】
2010071608.tif 000003
【図２】
2010071608.tif 000004
【図３】
2010071608.tif 000005
【図４】
2010071608.tif 000006
【図５】
2010071608.tif 000007